(57)【要約】【課題】  積雪時など外部の物質によって太陽電池アレイの表面が汚染される環境下における太陽電池アレイの信頼性と発電能力を向上すること。【解決手段】  第１方向に沿って並んで配置される複数の太陽電池モジュールを備えた太陽電池アレイである。前記複数の太陽電池モジュールは、各々、前記第１方向における一端側に位置する第１側面、および該第１側面に対向し前記第１方向における他端側に位置する第２側面を備えるパネル部と、該パネル部の周縁部を保持する枠体と、を備えている。該枠体は、前記パネル部の前記上面と前記第１側面との交差稜が露出するように前記第１側面に沿って設けられた第１部分と、前記パネル部の上面と第２側面との交差稜が露出するように前記第２側面に沿って設けられた第２部分とを備えている。前記第１部分は、前記第１方向に隣り合う前記太陽電池モジュールの前記第２部分に対向して配置されている。【選択図】図５
2012009495.tif 000002
【特許請求の範囲】
【請求項１】
第１方向に沿って並んで配置される複数の太陽電池モジュールを備え、
該複数の太陽電池モジュールは、各々、
上面、下面、前記第１方向における一端側に位置する第１側面、および該第１側面に対向し前記第１方向における他端側に位置する第２側面を備えるパネル部と、
該パネル部の周縁部を保持する枠体と、
を備えており、
該枠体は、
前記パネル部の前記上面と前記第１側面との交差稜が露出するように前記第１側面に沿って設けられた第１部分と、
前記パネル部の上面と第２側面との交差稜が露出するように前記第２側面に沿って設けられた第２部分と
を備え、
前記第１部分は、前記第１方向に隣り合う前記太陽電池モジュールの前記第２部分に対向して配置されている太陽電池アレイ。
【請求項２】
上面視において前記第１方向に垂直な方向を第２方向としたとき、該第２方向に沿う前記第１部分の長さは、前記第２方向に沿う前記第２部分の長さと等しい、請求項１記載の太陽電池アレイ。
【請求項３】
前記第１部分は、前記第１側面の全長に渡って設けられており、前記第２部分は、前記第２側面の全長に渡って設けられている、請求項２記載の太陽電池アレイ。
【請求項４】
前記太陽電池モジュールは、前記第１部分と前記第２部分との間に前記第１方向に沿って配置された、前記パネル部の前記下面を支持する支持部材をさらに備え、
該支持部材は、前記第１部分および前記第２部分に固定されている、請求項１記載の太陽電池アレイ。
【請求項５】
前記第１部分は、前記第１方向に隣り合う前記太陽電池モジュールの前記第２部分と接して配置される、請求項１記載の太陽電池アレイ。
【請求項６】
前記第１方向に隣り合う２つの前記太陽電池モジュールの間に配置される連結部材をさらに備え、
該連結部材は、一方の前記太陽電池モジュールの前記第２部分の上面と他方の前記太陽電池モジュールの前記第１部分の上面とを結ぶ仮想直線上に、または該仮想直線よりも低位に位置する、請求項１記載の太陽電池アレイ。
【請求項７】
前記第１方向に隣り合う２つの前記太陽電池モジュールのうち、一方の前記太陽電池モジュールの前記第２部分の上面が、他方の前記太陽電池モジュールの前記第１部分の上面よりも低位に位置する、請求項１記載の太陽電池アレイ。
【請求項８】
前記パネル部は、前記第１方向に沿って互いに対向して配置された第３側面および第４側面を備え、
前記枠体は、
前記パネル部の前記上面と前記第３側面との交差稜を含む前記パネル部の前記上面の一部を覆うように前記第３側面に沿って設けられた第３部分と、
前記パネル部の前記上面と前記第４側面との交差稜を含む前記パネル部の前記上面の一部を覆うように前記第４側面に沿って設けられた第４部分とを備える、請求項１記載の太陽電池アレイ。
【請求項９】
前記第３部分は、前記第３側面の全長に渡って設けられており、前記第４部分は、前記第４側面の全長に渡って設けられている、請求項８記載の太陽電池アレイ。
【請求項１０】
上面、下面、第１側面、および該第１側面に対向する第２側面を備えるパネル部と、
該パネル部の周縁部を保持する枠体と
を備え、
該枠体は、
前記パネル部の前記上面と前記第１側面との交差稜が露出するように前記第１側面に沿って設けられた第１部分と、
前記パネル部の前記上面と前記第２側面との交差稜が露出するように前記第２側面に沿って設けられた第２部分と
を備える、太陽電池モジュール。
【請求項１１】
前記第１部分と前記第２部分との間に前記第１方向に沿って配置された、前記パネル部の前記下面を支持する支持部材をさらに有し、
該支持部材は、前記第１部分および前記第２部分に固定されている、請求項１０記載の太陽電池モジュール。
【請求項１２】
前記パネル部の前記下面と前記支持部材との間に前記第１方向に沿って配置された緩衝材をさらに備え、
該緩衝材の前記第２部分側における厚みは、前記第１部分側における厚みよりも大きい、請求項１０記載の太陽電池モジュール。
【発明の詳細な説明】
【技術分野】
【０００１】
本発明は、太陽電池アレイおよび太陽電池モジュールに関する。
【背景技術】
【０００２】
近年の環境保護の気運の高まりに伴い、環境負荷の少ない太陽光発電システムが注目されている。太陽光発電システムは、設置後の長期間にわたりメンテナンスされることなく、屋外で暴露され続ける。そのため、このような太陽光発電システムでは、厳しい環境の中でも発電機能を維持する耐久性が必要とされている。
【０００３】
太陽光発電システムが暴露される環境の1つに降雨がある。太陽電池モジュール上に堆積した砂塵は、降雨とその雨水の乾燥によって、太陽電池素子の表面に付着しやすい。この表面に付着した砂塵は、太陽電池素子の表面を保護するガラスの透過率を低下させて、発電効率を低下させやすい。
【０００４】
この問題を解決するために、太陽電池モジュールの軒側の枠の一部を切り欠いて雨水の流路を作り、この流路から排水と一緒に砂塵を洗い流して汚れの付着を低減することが提案されている。
【先行技術文献】
【特許文献】
【０００５】
【特許文献１】実開平６−１７２５７号公報
【発明の概要】
【発明が解決しようとする課題】
【０００６】
しかしながら特許文献１に記載の太陽電池モジュールは、暴露される多様な環境について十分に適用できているとはいえなかった。例えば、このような太陽電池モジュールを、複数個、傾斜方向に沿って、傾斜面上に隣接して設置すると、太陽電池モジュールの表面に降雪が滞留して積雪する場合がある。特に、積雪量が１ｍを超えると、太陽電池モジュールの表面1ｍ２あたり約３００ｋｇの荷重が加わることから、積雪の重みにより太陽電池モジュールが破損する可能性がある。
【０００７】
したがって、破損を低減するとともに高い発電効率を備えた太陽電池アレイおよび太陽電池モジュールが要求される。
【課題を解決するための手段】
【０００８】
本発明の一実施形態に係る太陽電池アレイは、第１方向に沿って並んで配置される複数の太陽電池モジュールを備えている。該複数の太陽電池モジュールは、各々、上面、下面、前記第１方向における一端側に位置する第１側面、および該第１側面に対向し前記第１方向における他端側に位置する第２側面を備えるパネル部と、該パネル部の周縁部を保持する枠体と、を備えている。該枠体は、前記パネル部の前記上面と前記第１側面との交差稜が露出するように前記第１側面に沿って設けられた第１部分と、前記パネル部の上面と第２側面との交差稜が露出するように前記第２側面に沿って設けられた第２部分とを備えている。前記第１部分は、前記第１方向に隣り合う前記太陽電池モジュールの前記第２部分に対向して配置されている。
【発明の効果】
【０００９】
本発明の一実施形態に係る太陽電池アレイによれば、太陽電池アレイ上に雪などの付着物が滞留することを低減でき、効率的に付着物を排出することができる。これにより太陽電池アレイに加わる外部荷重を軽減するとともに、付着物が受光面上に堆積することにより太陽電池素子が受光できない時間を低減して発電効率を向上することができる。
【図面の簡単な説明】
【００１０】
【図１】本発明の第１の実施形態に係る太陽電池アレイを傾斜面に設置した様子を示す図面であり、太陽電池アレイを受光面側から見た斜視図である。
【図２】図１の１Ｂ−１Ｂ’断面を示す断面図である。
【図３】図２の部分拡大図である。
【図４】本発明の第１の実施形態に係る太陽電池アレイの太陽電池モジュールを示す図面であり、（ａ）は受光面側から見た平面図、（ｂ）は裏面側から見た平面図である。
【図５】（ａ）は図２（ａ）を３Ａ−３Ａ’断面の断面図、（ｂ）は図２（ｂ）を３Ｂ−３Ｂ’断面の断面図、（ｃ）は図２（ｂ）を３Ｃ−３Ｃ’断面の断面図である。
【図６】本発明の第１の実施形態に係る太陽電池アレイの太陽電池モジュールのうち、パネル部の構成を示す分解斜視図である。
【図７】本発明の第２の実施形態に係る太陽電池アレイを示す図であり、（ａ）は太陽電池架台の斜視図を示し、（ｂ）は図５（ａ）の太陽電池架台に太陽電池モジュールを設置した様子を示す太陽電池アレイの斜視図である。
【図８】（ａ）は図５（ｂ）の６Ａ―６Ａ’断面の断面図を示し、（ｂ）は第３の実施形態に係る太陽電池アレイの図５（ａ）に対応する断面図である。
【発明を実施するための形態】
【００１１】
以下、本発明の実施形態について添付図面を参照しつつ説明する。
【００１２】
＜第１の実施形態＞
本発明の第一の実施形態に係る太陽電池アレイ１は、図１から図６に示すように、傾斜面２に設置した太陽電池架台３と、太陽電池架台３に固定された複数の太陽電池モジュール４と、を備える。傾斜面２とは、例えば、太陽電池アレイ１が設置される家屋の屋根の主面のことであり、図１から図３に示すように第１方向Ｘに沿って、傾斜する平面である。以下の説明では、第１方向Ｘにおける傾斜の下方を軒側２ａ（他端側）、傾斜の上方を棟側２ｂ（一端側）と呼ぶものとする。
【００１３】
太陽電池モジュール４は、図１から図５に示すように、パネル部５と、該パネル部５の周縁部を保持する枠体３０と、を備える。
【００１４】
パネル部５は、主に光を受光する側の上面（受光面）５ａと、受光面５ａの裏側の主面である下面（裏面）５ｂと、それ以外の面である側面５ｃと、を備える。側面５ｃは、設置時に棟側２ｂに位置する第１側面５ｃ１と、設置時に軒側２ａに位置する第２側面５ｃ２と、第１方向Ｘに沿って配置された第３側面５ｃ３および第４側面５ｃ４と、を備える。第１側面５ｃ１および第２側面５ｃ２は、互いに対向しており、第３側面５ｃ３および第４側面５ｃ４は、互いに対向している。なお、図１から図４に示すように、パネル部５の上面視において、第１方向Ｘに垂直な方向を第２方向Ｙとする。したがって、第１側面５ｃ１および第２側面５ｃ２は、第２方向Ｙに沿って配置され、第３側面５ｃ３および第４側面５ｃ４に対して各々垂直に位置している。
【００１５】
次に、図６を用いて、パネル部５の構成を説明する。パネル部５は、受光面５ａ側から順に、基板を兼ねる透光性基板１０と、熱硬化性樹脂よりなる一対の充填材１１と、該充填材１１に挟持された複数の太陽電池素子１３と、裏面５ｂ側を保護する裏面保護材１４と、出力を外部に取り出すための端子ボックス１５と、を備えている。複数の太陽電池素子１３は、互いにインナーリード１２で電気的に接続されている。端子ボックス１５は、裏面保護材１４に接着されている。
【００１６】
透光性基板１０は、太陽電池素子１３へ光を入射させることができる部材であれば特に限定されない。例えば、ガラスやポリカーボネート樹脂などからなる光透過率の高い基板を用いればよい。ガラスとしては、白板ガラス、強化ガラス、倍強化ガラスおよび熱線反射ガラスなどを用いることができる。透光性基板１０の厚みとしては、例えば、白板強化ガラスの場合、厚さ３ｍｍ〜５ｍｍ程度、合成樹脂基板（ポリカーボネート樹脂などからなる）の場合、厚さ５ｍｍ程度とすることができる。
【００１７】
充填材１１は、太陽電池素子１３およびインナーリード１２を封止して保護する機能を有する。充填材１１としては、例えば、透光性を有するエチレン酢酸ビニル共重合体（ＥＶＡ）やポリビニルブチラール（ＰＶＢ）を主成分とする熱硬化性樹脂からなる有機化合物が用いられる
太陽電池素子１３は、例えば、単結晶シリコンや多結晶シリコン等からなる平板状のシリコン基板が用いられる。このようなシリコン基板を用いる場合は、上述したように、インナーリード１２で隣接するシリコン基板同士は電気的に接続している。また、太陽電池素子１３には、例えば、薄膜太陽電池、ＣＩＧＳ太陽電池、ＣｄＴｅ太陽電池、結晶シリコン基板上に薄膜アモルファスを形成した太陽電池等を用いてもよい。なお、本実施形態では、多結晶シリコン基板を備える太陽電池素子１３について説明する。
【００１８】
インナーリード１２は、太陽電池素子１３同士を電気的に接続する機能を有する。インナーリード１２は、例えば、全面をハンダコートした厚さ０．２ｍｍ程度、幅１ｍｍ〜６ｍｍ程度の銅箔を、所定の長さに切断し、太陽電池素子１３の電極上などにハンダ付けして形成することが出来る。
【００１９】
裏面保護材１４は、太陽電池素子１３、充填材１１への透湿を低減する機能を有する。このような裏面保護材１４としては、例えば、アルミ箔を挟持した耐候性を有するフッ素系樹脂シートや、アルミナまたはシリカを蒸着したポリエチレンテレフタレ−ト（ＰＥＴ）シートなど、が用いられる。
【００２０】
端子ボックス１５は、太陽電池モジュール４の発電電力を外部に出力できるようにする機能を有する。このような端子ボックス１５としては、例えば、ポリフェニレンエーテル樹脂やABS樹脂などからなる箱体内に銅やステンレスなどからなるターミナルを備え、外部へ電線を引き出したものを用いることができる。
【００２１】
枠体３０は、図４および図５に示すように、設置時に傾斜の棟側２ｂに位置してパネル部５を保持する第１部分６と、設置時に傾斜の軒側２aに位置してパネル部５を保持する第２部分７と、を備える。
【００２２】
第１部分６は、第２部分７に対向して配置されている。具体的には、図４に示すように、第１部分６および第２部分７は、第１方向Ｘにおいて、互いに対向して配置されている。そして、第１部分６および第２部分７は、各々、第２方向Ｙに沿って配置されている。
【００２３】
第１部分６と第２部分７は、パネル部２を保持する機能を有する。パネル部５の棟側２bの第１部分６および軒側２aの第２枠体７は、大略、同一の形状を有する。
【００２４】
より詳細には、図４および図５（ａ）および（ｂ）に示すように、第１部分６は、パネル部５の第１側面５ｃ１を保持する側面支持部６ａと、パネル部５の裏面５ｂを保持する裏面保持部６ｂを有する。同様に第２枠体７は、パネル部５の第２側面５ｃ２を保持する側面支持部７ａと、パネル部５の裏面５ｂを保持する裏面保持部７ｂを有する。
【００２５】
そして、第１部分６は、パネル部５の受光面５ａと第１側面５ｃ１との交差稜が露出するように、第１側面５ｃ１に沿って設けられている。第２部分７は、パネル部５の受光面５ａと第２側面５ｃ２との交差稜が露出するように、第２側面５ｃ２に沿って設けられている。すなわち、第１部分６および第２部分７の太陽電池モジュール４を保持する部分は、その全長に渡りパネル部５の受光面５ａよりも上方に突出しない。より具体的には、図５（ａ）および（ｂ）に示すように、側面支持部６ａの上面６ｄの高さｈ６１が、パネル部５の受光面５ａの高さｈ５１以下であり、側面支持部７ａの上面７ｄの高さｈ７１が、パネル部５の受光面５ａの高さｈ５１以下である。
【００２６】
ここで、高さｈ５１、ｈ６１、ｈ７１は、各々、パネル部５の裏面５ｂを基準面とし、裏面５ｂに垂直な方向における寸法である。
【００２７】
このように、本実施形態では、第１枠体６の上面６ｄおよび第２枠体７の上面７ｄが、パネル部５の受光面５ａとほぼ同じ平面上、もしくは、受光面５ａより低位に位置する。そのため、太陽電池アレイ１上に降雪した雪の滑落を止める凹凸が小さい。これにより、太陽電池アレイ２上に生じた積雪が、速やかに滑落して太陽電池アレイ２上から効率よく排出されて、太陽電池アレイ２上に多量に降り積もることを低減できる。これにより太陽電池アレイ２に加わる積雪荷重を小さくしてするとともに、太陽電池素子１３が受光できない時間を短くして発電効率を向上することができる。
【００２８】
なお、第１枠体６や第２枠体７と、パネル部５との間の隙間は、シリコンシーラントなどの接着剤１６で充填してもよい。これにより、隙間に水分が侵入した後に氷結して膨張し、パネル部５が、第１枠体６や第２枠体７から外れるのを低減することができる。
【００２９】
次に、太陽電池架台３は、固定装置１８と、横レール１９と、連結部材（カバー）２０と、を有する。固定装置１８は、図２および図３に示すように傾斜面２に木ねじ１７で固定される。横レール１９は、傾斜を横切るように固定装置１８上に配置される。すなわち、横レール１９は、第２方向Ｙに沿って配置される。カバー２０は、横レール１９に太陽電池モジュール４を固定する機能を有し、第１方向Ｘに隣り合う２つの太陽電池モジュール４の間に配置される。このような固定装置１８、横レール１９、およびカバー２０はアルミニウムの押し出し成形や、鋼板のロール成形やプレス成形で製造することができる。
【００３０】
図２および図３に示すように、このような太陽電池架台３に対して、太陽電池モジュール４は、第２部分７の一対のリブ７ｃが横レール１９の棟側２ｂの凸部１９ａに嵌合し、第１部分６のフランジ６ｃが横レール１９上に載った状態でカバー２０によって覆われることで固定される。このとき、上述したように、高さｈ６１、ｈ７１、およびｈ５１が、ほぼ同じになるよう、太陽電池モジュール４は太陽電池架台３に固定される。
【００３１】
また、図３に示すように、第１方向Ｘに隣り合う２つの太陽電池モジュール４のうち、軒側２ａに位置する一方の太陽電池モジュールを第１太陽電池モジュール４ａとし、棟側２ｂに位置する他方の太陽電池モジュールを第２太陽電池モジュール４ｂとする。そして、第２太陽電池モジュール４ｂの第２部分７の上面７ｄと、第1太陽電池モジュール４ａの第１部分６の上面６ｄとを結ぶ仮想直線を直線Ｚとする。
【００３２】
このとき、カバー２０は、直線Ｚ上に、もしくは、直線Ｚよりも低位に位置している。具体的には、本実施形態においては、カバー２０の上面は、直線Ｚ上に位置している。すなわち、パネル部５の受光面５ａや第１部分６の上面６ｄ、第２部分７の上面７ｄから傾斜面２までの距離と、カバー２０の上面から傾斜面２までの距離は、ほぼ同じである。
【００３３】
これにより、第１方向Ｘに隣り合う２つの太陽電池モジュール４間に雪が滞留することを低減できる。したがって、該隣り合う２つの太陽電池モジュール４間における雪の滑落をスムーズに行うことができる。
【００３４】
さらに、本実施形態では、図４（ａ）に示すように、上面視おいて、第２方向Ｙに沿う第１部分６の長さＬ６は、第２方向Ｙに沿う第２部分７の長さＬ７と等しい。具体的には、本実施形態においては、第１部分６および第２部分７は、太陽電池モジュール４の第１側面５ｃ１および第２側面５ｃ２の全長に渡って設けられている。すなわち、長さＬ６および長さＬ７は、太陽電池モジュール４の第１側面５ｃ１及び第２側面５ｃ２の長さＬ５ｃと略等しい。
【００３５】
これにより、棟側２ｂに隣り合う太陽電池モジュール４から滑落してきた雪を、軒側２ａに隣り合う太陽電池モジュール４へスムーズに排出することができる。また、第１部分６および第２部分７の形状が、各々、第２方向Ｙに沿って、大略、一定となるため、枠体３０の製造が容易である。
【００３６】
また、枠体３０は、設置後にパネル部５の側方に位置してパネル部５を保持する第３部分８１および第４部分８１をさらに備える。第３部分８１は、図５（ｃ）に示すように、パネル部５の受光面５ａと第３側面５ｃ３との交差稜を含む受光面５ａの一部を覆うように設けられている。一方、第４部分８２は、パネル部５の受光面５ａと第４側面５ｃ４との交差稜を含む受光面５ａの一部を覆うように設けられている。
【００３７】
なお、本実施形態では、第３部分８１および第４部分８２は、同じ形状を有している。以下、第３部分８１についてのみ説明するが、第４部分８２も同様である。
【００３８】
図５（ｃ）に示すように、第３部分８１は、パネル部５の受光面５ａと裏面５ｂと第３側面５ｃ３とを保持してパネル部５を固定する。すなわち、第３部分８１は、第１部分６や第２部分７と異なり、受光面５ａをも保持する。これにより、枠体３０は、傾斜方向（第１方向Ｘ）に沿って滑落する雪の排出経路になりにくいパネル部５の領域を、強固に保持することができる。したがって、積雪の重みによるパネル部５の撓みをより低減することが出来る。
【００３９】
また、第１部分６および第２部分７と同様、第３部分８１は、第３側面５ｃ３の全長に渡って、第４部分８２は、第４側面５ｃ４の全長に渡って設けられている。これにより、好適な積雪の滑落を維持した上で、枠体３０のパネル部５を保持する力を高めることができる。くわえて、第３部分８１および第４部分８２の製造が容易である。
【００４０】
このような第１部分６と第２部分７と第３部分８１と第４部分８２とは、例えば、アルミニウムを押し出し成形したり、鋼板をロール成形したりして製造することができる。
【００４１】
さらに、太陽電池モジュール４は、第１部分６と第２部分７との間に、第１方向Ｘに沿って配置された支持部材（裏面支持梁）９を備える。裏面支持梁９は、図５（ｃ）に示すように、第１方向Ｘ、すなわち、傾斜面２の傾斜方向に平行に配置され、第１部分６と第２部分７とに固定されている。そして、裏面支持梁９は、パネル部５を裏面５ｂから支持する機能を有する。このような裏面支持梁９は、第１部分６と第２部分７に木ねじやボルト・ナットなどの締結部材を用いて締結されて、第１部分６と第２部分７との間に架設されている。これにより、パネル部５を裏面５ｂ側から支持する。
【００４２】
太陽電池モジュール４は、このような裏面支持梁９を有することから、パネル部５が積雪の重みにより撓むのを低減することができる。これにより、パネル部２の撓みが積雪の滑落の抵抗となることを低減することができる。該効果は、裏面支持梁９を、第２方向Ｙにおける第１部分６の中間部と第２方向における第２部分７の中間部とを結ぶ仮想直線上に配置することで、特に好適に得られる。すなわち、裏面支持梁９は、図５（ｃ）に示すように、第３側面５ｃ３と第４側面５ｃ４からの距離Ｍ３、Ｍ４が互いに等しくなるよう配置することができる。
【００４３】
また、裏面支持梁９は、第１部分６と第２部分７との間に架設されて、両部分の間の距離を固定する機能も有する。これにより、積雪が滑落するときに、軒側２ａの第１部分６が雪に引っ張られて脱落するのを低減することができる。
【００４４】
さらに、図２および図５（ｃ）に示すように、裏面支持梁９が、パネル部５の裏面５ｂに接着されている。これにより、太陽電池モジュール４に負圧方向の風圧荷重が加わったときに、パネル部５が枠体３０（第１部分６および第２部分７）から脱落して飛散することを低減することができる。
【００４５】
さらに裏面支持梁９は、シリコンなどの接着剤１６で裏面５ｂに接着されても良い。このような裏面支持梁９は、例えばアルミニウムを押し出し成形したり、鋼板をロール成形したりして製造することができる。
【００４６】
裏面支持梁９の断面形状としては、Ｔ型やＩ型や角パイプなどを用いることができる。なお、ここでいう断面形状は、図５（ｃ）に示すように、第２方向Ｙに平行な断面における裏面支持梁９の形状である。
【００４７】
＜第２の実施形態＞
次に、本発明の第２の実施形態に係る太陽電池アレイ１について図７および図８を参照しつつ説明する。
【００４８】
本実施形態は、太陽電池架台３の構成において、第１の実施形態と異なる。具体的には、図７（ａ）に示すように、本実施形態においては、太陽電池架台３は、脚部材３１と、該脚部材３１に架設された傾斜部材３２と、を有する。脚部材３１および傾斜部材３２は、各々、アルミニウムや鋼製の角材を用いることができる。このような太陽電池架台３は、陸屋根上や地面などの平坦な場所に組み立てられる。そして、この組み立てられた太陽電池架台３の傾斜部材３２に太陽電池モジュール４が固定される。したがって、本実施形態は、第１方向Ｘに隣り合う太陽電池モジュール４の間に太陽電池架台３が配置されない点で第１の実施形態と相違する。より具体的には、本実施形態においては、第１方向Ｘに隣り合う太陽電池モジュール４の間に、横レール１９およびカバー２０が配置されない。
【００４９】
このような組み立て式の太陽電池架台３は、鋼材やボルトとナットを用いて組み立てられ、所定の場所に設置することができる。そして図７（ｂ）と図８（ａ）に示すように、太陽電池モジュール４は、太陽電池架台３の傾斜部材３２に、第１方向Ｘに隣り合う太陽電池モジュール４同士が接するようにボルト・ナットで固定される。
【００５０】
このとき、図８（ａ）に示すように、軒側２ａに位置する第１太陽電池モジュール４ａの第２部分７と、棟側２ｂに位置する第２太陽電池モジュール４ｂの第１部分６とは接するよう配置されている。これにより、太陽電池アレイ１に積雪荷重が負荷されたときに、第２太陽電池モジュール４ｂの第２部分７が第２方向Yの中間付近で捩れの変形を生じることを低減することができる。その結果、パネル部２が脱落して太陽電池アレイ１が破損するのを低減することができる。
【００５１】
さらに、本実施形態は、太陽電池架台３の部品点数が少ないため、太陽電池アレイ１の製造が容易となる。
【００５２】
また、第１の実施形態で述べたように、第１部分６と第２部分７とは、同一の形状を有する。これにより、第１太陽電池モジュー４aと第２太陽電池モジュール４ｂとが互いに強固に固定される。そのため、上述した第２部分７の捩れ変形を低減する効果がさらに高まる。
【００５３】
＜第３の実施形態＞
次に、本発明の第３の実施形態に係る太陽電池アレイ１について図８（ｂ）を参照して説明する。
【００５４】
本実施形態は、傾斜部材３２に太陽電池モジュール４を固定する様式において、第２の実施形態と相違する。
【００５５】
本実施形態においては、太陽電池架台３は、スペーサー２１をさらに有している。図８（ｂ）に示すように、棟側２ｂの第２太陽電池モジュール４ｂは、スペーサー２１を介して傾斜部材３２に固定される。このとき、軒側２aの第１太陽電池モジュール４aの傾斜部材３２からの高さよりも、棟側２ｂの第２太陽電池モジュール４ｂの傾斜部材３２からの高さが大きくなるようにしても良い。そして、第２太陽電池モジュール４ｂと該第２太陽電池モジュール４ｂの棟側２ｂに隣り合う第３太陽電池モジュール４ｃも同様の高低差を設けるよう固定してもよい。
【００５６】
これにより、太陽電池アレイ１の棟側２ｂに向かうほど、傾斜部材３２から第１部材６の上部６ｄおよび第２部材７の上部７ｄ、受光面５ａまでの高さが、順次高くなる。そのため、落雪が途中で引っ掛かることを低減でき、効率よく落雪することができる。また、各太陽電池モジュール４について第１部分６と第２部分７の下に同じ高さのスペーサー２１を配置することにより、一定の傾斜角度で、複数の太陽電池モジュール４を第１方向Xに沿って配置することができる。そのため、第１方向Xに沿って、積雪の滑落の速度を減ずることを低減できる。
【００５７】
本実施形態においては、第１太陽電池モジュール４aでは、スペーサー２１を配置せず、第２太陽電池モジュール４ｂでは、第１部分６および第２部分７の下に各々１個、第３太陽電池モジュール４ｃでは、第１部分６および第２部分７の下に各々２個のスペーサー２１を配置している。
【００５８】
以上、本発明の実施形態を例示したが、本発明は上述した実施形態に限定されるものではなく、発明の目的を逸脱しない限り任意のものとすることができることは言うまでもない。
【００５９】
たとえば、本発明を適用できる太陽電池モジュールとしては、パネル部の周縁部を枠体で保持した太陽電池モジュールであればよく、上述の実施形態で説明したスーパーストレート構造のものに限られるものではなく、ガラスパッケージ構造、サブストレート構造などの種々の構造のものに適用可能である。
【００６０】
また、第１部分６および第２部分７は、各々、上述した対応する交差稜が露出するよう設けられ、且つ、第１部分６が、第１方向Xに隣り合う第２部分７に対向して配置されていればよく、第１部分６および第２部分７の形状は、異なっていてもよい。たとえば、第２分部７の長さL７は、第１部分６の長さL６よりも大きくてもよい。
【符号の説明】
【００６１】
１：太陽電池アレイ
２：傾斜面
２ａ：棟側（第１方向Ｘの他端側）
２ｂ：軒側（第１方向Ｘの一端側）
３：太陽電池架台
４：太陽電池モジュール
４ａ：第１太陽電池モジュール
４ｂ：第２太陽電池モジュール
４ｃ：第３太陽電池モジュール
５：パネル部
５ａ：受光面（上面）
５ｂ：裏面（下面）
５ｃ１：第１側面
５ｃ２：第２側面
５ｃ３：第３側面
５ｃ４：第４側面
３０：枠体
６：第１部分
６ａ：側面支持部
６ｂ：裏面支持部
６ｃ：フランジ
６ｄ：上面
７：第２部分
７ａ：側面支持部
７ｂ：裏面支持部
７ｃ：リブ
７ｄ：上面
８１：第３部分
８２：第４部分
９：裏面支持梁（支持部材）
１０：透光性基板
１１：充填材
１２：インナーリード
１３：太陽電池素子
１４：裏面保護材
１５：端子ボックス
１６：接着剤
１７：木ねじ
１８：固定装置
１９：横レール
２０：カバー（連結部材）
２１：スペーサー
【図１】
2012009495.tif 000003
【図２】
2012009495.tif 000004
【図３】
2012009495.tif 000005
【図４】
2012009495.tif 000006
【図５】
2012009495.tif 000007
【図６】
2012009495.tif 000008
【図７】
2012009495.tif 000009
【図８】
2012009495.tif 000010